(57)【要約】【課題】窓に配設されるフレーム枠部の中央部の窓開口をスクリーンにて閉塞した状態であってもこの窓において通風・換気を行うことができるロールスクリーン装置を提供する。【解決手段】窓に配設されるフレーム枠部１の対向する一対の辺にそれぞれ巻取り軸２を設け、前記巻取り軸２に巻装されたスクリーン３でフレーム枠部１の中央の窓開口１０を開閉するロールスクリーン装置である。フレーム枠部１に室内外を連通する通気孔４を形成するとともに、スクリーン３で窓開口１０を閉塞した時に前記通気孔４を閉塞して且つ、スクリーン３の更なる閉方向への移動により通気孔４を開放する閉塞体５を設けた。【選択図】        図１
2004176368.tif 000002
【特許請求の範囲】
【請求項１】
窓に配設されるフレーム枠部の対向する一対の辺にそれぞれ巻取り軸を設け、前記巻取り軸に巻装されたスクリーンでフレーム枠部の中央の窓開口を開閉するロールスクリーン装置において、フレーム枠部に室内外を連通する通気孔を形成するとともに、スクリーンで窓開口を閉塞した時に前記通気孔を閉塞して且つ、スクリーンの更なる閉方向への移動により通気孔を開放する閉塞体を設けて成ることを特徴とするロールスクリーン装置。
【請求項２】
窓に配設されるフレーム枠部の対向する一対の辺にそれぞれ巻取り軸を設け、前記巻取り軸に巻装されたスクリーンでフレーム枠部の中央の窓開口を開閉するロールスクリーン装置において、フレーム枠部に室内外を連通する通気孔を形成するとともに、スクリーンで窓開口を閉塞した時に前記通気孔を開放して且つ、スクリーンの更なる閉方向への移動により通気孔を閉塞する閉塞体を設けて成ることを特徴とするロールスクリーン装置。
【請求項３】
通気孔をフレーム枠部の巻取り軸を設けていない辺に形成し、前記フレーム枠部の通気孔が形成された辺に沿って移動可能な閉塞体に前記通気孔に連通する貫通孔を形成して成ることを特徴とする請求項１又は２記載のロールスクリーン装置。
【発明の詳細な説明】
【０００１】
【発明の属する技術分野】
本発明は、窓に配設されるフレーム枠部の対向する一対の辺に巻取り軸を設けてスクリーンを巻装し、該スクリーンにてフレーム枠部の中央の窓開口を開閉して換気、採光・遮光を行うロールスクリーン装置に関するものである。
【０００２】
【従来の技術】
従来より、窓に配設して換気、採光・遮光を行うロールスクリーン装置が良く用いられている（例えば特許文献１参照）。
【０００３】
この従来のロールスクリーン装置は、図４に示すように、建物の窓を設ける部分にフレーム枠部（図示せず）を配設し、フレーム枠部の対向する一対の辺にそれぞれ巻取り軸２を設けてこの巻取り軸２にスクリーン３を巻取り自在に巻装してあり、スクリーン３の一端部と一方の巻取り軸２との間には紐状部材３２を介在させてある。
【０００４】
このロールスクリーン装置は、図４（ｂ）に示すようにスクリーン３を両方の巻取り軸２間に張設することでフレーム枠部１の中央部に形成してある窓開口１０を閉塞するとともに、図４（ａ）に示すようにスクリーン３を一方の巻取り軸２に巻き取ってしまって巻取り軸２間に上述した紐状部材３２を張設することで前記窓開口１０を開放するものである。また、スクリーン３を網状に形成して窓開口１０を通風・換気可能としてもよいものである。
【０００５】
しかしながら、上記従来のロールスクリーン装置にあっては、通風・換気するには、巻取り軸２間に紐状部材３２を張設した状態として窓開口１０を開放したり、スクリーン３の網状に形成した部分を窓開口１０に配置してこの網状の部分にて通風・換気を行うもので、いずれにしても窓開口１０を遮蔽するものではなく、窓開口１０からの光を遮光した状態で通風・換気可能なものではなかった。
【０００６】
【特許文献１】
特開２００２−１０６２７２号公報
【０００７】
【発明が解決しようとする課題】
本発明は上記の点に鑑みてなされたものであり、その目的とするところは、窓に配設されるフレーム枠部の中央部の窓開口をスクリーンにて閉塞した状態であってもこの窓において通風・換気を行うことができるロールスクリーン装置を提供することを課題とするものである。
【０００８】
【課題を解決するための手段】
上記課題を解決するために本発明に係るロールスクリーン装置は、窓に配設されるフレーム枠部１の対向する一対の辺にそれぞれ巻取り軸２を設け、前記巻取り軸２に巻装されたスクリーン３でフレーム枠部１の中央の窓開口１０を開閉するロールスクリーン装置において、フレーム枠部１に室内外を連通する通気孔４を形成するとともに、スクリーン３で窓開口１０を閉塞した時に前記通気孔４を閉塞して且つ、スクリーン３の更なる閉方向への移動により通気孔４を開放する閉塞体５を設けて成ることを特徴とするものである。このような構成とすることで、窓開口１０をスクリーン３で閉塞して遮光した状態でも通気孔４を介して換気及び密閉が自在となる。
【０００９】
また本発明に係るロールスクリーン装置は、窓に配設されるフレーム枠部１の対向する一対の辺にそれぞれ巻取り軸２を設け、前記巻取り軸２に巻装されたスクリーン３でフレーム枠部１の中央の窓開口１０を開閉するロールスクリーン装置において、フレーム枠部１に室内外を連通する通気孔４を形成するとともに、スクリーン３で窓開口１０を閉塞した時に前記通気孔４を開放して且つ、スクリーン３の更なる閉方向への移動により通気孔４を閉塞する閉塞体５を設けて成ることを特徴とするものである。このような構成とすることで、窓開口１０をスクリーン３で閉塞して遮光した状態でも通気孔４を介して換気及び密閉が自在となる。
【００１０】
また、通気孔４をフレーム枠部１の巻取り軸２を設けていない辺に形成し、前記フレーム枠部１の通気孔４が形成された辺に沿って移動可能な閉塞体５に前記通気孔４に連通する貫通孔５０を形成することが好ましい。このような構成とすることで、閉塞体５の少ない移動で通気孔４の開閉を行うことができる。
【００１１】
【発明の実施の形態】
本実施形態におけるロールスクリーン装置は、窓に配設されるフレーム枠部１と、フレーム枠部１に設けられる巻取り軸２と、巻取り軸２に巻装されるスクリーン３とで主体が構成される。
【００１２】
フレーム枠部１は、正面視略矩形枠状でその内部が窓開口１０となるもので（特に図示せず）、アルミ型材等の剛性材で形成され、室内側に面する正面視略ロ字状をした前面部１１と、前面部１１の内縁部に設けられて内部に巻取り軸２及びスクリーン３が配設される内ケーシング１２部と、前面部１１の外端部から室外側に連設されて建物の窓の内壁面６に取り付けられる外片１３とからなる。
【００１３】
前面部１１は、正面視における外郭形状が建物の窓と同じ略ロ字状に形成してあり、その外端部からは外片１３が連設される。外片１３は、その前面部１１の外端部から室外側に連設される角筒状をしたもので、建物の窓の内壁面６に固着具等（図示せず）によって取り付けられてロールスクリーン装置を窓に固定するものである。また、前面部１１の内縁部には、窓開口１０を開閉するためのスクリーン３及び巻取り軸２を収納する内ケーシング１２が設けてある。内ケーシング１２は、前面部１１の中央部の開口内縁から連設されて内部に窓開口１０が形成される断面が内方（即ち窓開口１０の方）に向けて開口する略コ字状をしたものである。内ケーシング１２の断面のコ字状内部には、窓開口１０を開閉するためのスクリーン３及び巻取り軸２と、巻取り軸２を回転駆動させる駆動部（図示せず）が収納される。
【００１４】
巻取り軸２は、窓開口１０の対向する辺にそれぞれ回転自在に軸支される。窓開口１０の一方の側には駆動側の巻取り軸２が配置され、窓開口１０の他方の側には従動側の巻取り軸２が配置され、巻取り軸２にてスクリーン３が両側から巻き取られ、巻取り軸２間に張設された状態となる。
【００１５】
スクリーン３は、紙や布または合成樹脂のフィルムのように使用の際に曲げ剛性がほとんど無視できる部材で形成される略長方形状をしたものである。このスクリーン３は、その両端がそれぞれ両側の巻取り軸２に取り付けられるのであるが、その一方側においては、スクリーン３の端部を棒状をした端部支持部３１に接続するとともに、この端部支持部３１の両端部と巻取り軸２の両端部とをそれぞれ紐状部材３２で接続して連設可能としてある。
【００１６】
巻取り軸２は、駆動側の巻取り軸２が駆動部にて回転駆動されるとともに、従動側の巻取り軸２はばね等からなる回転力付与手段（図示せず）にてテンションがかけられている。回転力付与手段は、従動側の巻取り軸２に該巻取り軸２にてスクリーン３を巻き取る方向の回転力を与えるもので、これにより、スクリーン３を駆動側の巻取り軸２に巻き取る場合には、駆動部にて駆動側の巻取り軸２を回転力付与手段によるテンションに抗して回転駆動すれば、スクリーン３を巻取り軸２間に張設したまま巻き取ることができる。また、スクリーン３を従動側の巻取り軸２に巻き取る場合には、駆動側の巻取り軸２の巻取りを解除する方向に回転駆動すれば、回転力付与手段にて従動側の巻取り軸２が巻き取る方向に回転するためスクリーン３が張設されたまま巻き取ることができる。
【００１７】
このロールスクリーン装置は、窓開口１０を閉塞する時には、スクリーン３を両方の巻取り軸２間に張設するようにし、窓開口１０を開放する時には、スクリーン３を一方の巻取り軸２に巻き取ってしまって両方の巻取り軸２間には紐状部材３２を張設することで前記窓開口１０を開放するものである。
【００１８】
上記ロールスクリーン装置は、建物の窓を換気せずに採光・遮光する場合には、建物の窓のガラス戸を閉じた状態でロールスクリーン装置の窓開口１０を開閉すればよいが、建物の窓を換気しながら採光・遮光する場合には、建物の窓のガラス戸を開いた状態でロールスクリーン装置の窓開口１０を開閉することになるが、この時遮光しようとするとスクリーン３にて窓開口１０が閉塞されることとなり、換気を行うことができないものであった。そこで、本願のように、フレーム枠部１に室内外を連通する通気孔４を形成するとともに、フレーム枠部１に閉塞体５を設けて、スクリーン３で窓開口１０を閉塞した時に閉塞体５にて通気孔４を閉塞するとともに、スクリーン３の更なる閉方向への移動によって閉塞体５にて通気孔４を開放するようにしてある。
【００１９】
通気孔４は、フレーム枠部１の巻取り軸２を設けていない対向する一対の辺にそれぞれ複数形成してある。通気孔４の形状、個数、面積等は換気量に応じて適宜設定するもので、本実施形態では四角形に形成してある。
【００２０】
閉塞体５は、細長い板状をしたもので、アルミ、鉄、合成樹脂等で形成され、前記フレーム枠部１の通気孔４を形成した辺に沿って移動自在に設けてある。フレーム枠部１にガイドレールを設けてこのガイドレールにスライド自在に嵌入してもよい。この閉塞体５には、上記複数の通気孔４と連通可能な貫通孔５０を形成してある。
【００２１】
フレーム枠部１の通気孔４と閉塞体５の貫通孔５０とは、閉塞体５を所定の位置に移動させた際に全ての通気孔４と貫通孔５０とが連通し、この状態から隣接する貫通孔５０（又は連通孔）間の距離の半分ほど閉塞体５を移動させると、移動体の貫通孔５０の間の閉塞部分で連通孔を閉塞するようになっている。
【００２２】
このような閉塞体５には、端部支持部３１にて押圧される被押圧片５１が突設してある。被押圧片５１は、端部支持部３１と接続される紐状部材３２が接続してある巻取り軸２側の端部に端部支持部３１の移動線上に位置するように突設してある。
【００２３】
上述したように、窓開口１０の開放時には、スクリーン３を一方の巻取り軸２に巻き取ってしまって巻取り軸２間に紐状部材３２が張設されており、この状態から窓開口１０を閉塞するには、スクリーン３の端部支持部３１を反対側の巻取り軸２側に移動してスクリーン３を張設する。この時点では、端部支持部３１が閉塞体５の被押圧片５１に接触しておらず、フレーム枠部１の通気孔４は閉塞されている。この状態から端部支持部３１を更に移動させると、端部支持部３１が閉塞体５の被押圧片５１を押圧してフレーム枠部１の通気孔４が開放されて通風・換気可能となり、窓開口１０をスクリーン３にて閉塞して遮光した状態で通風・換気できる。また、閉塞体５をばね等にて付勢しておくことで、端部支持部３１による押圧が解除されると閉塞体５が自動的に戻って通気孔４が閉塞される。
【００２４】
以上のような構成によれば、ロールスクリーン装置のフレーム枠部１の窓開口１０をスクリーン３で閉塞して遮光した状態で、フレーム枠部１の通気孔４にて通風・換気可能となる。また、通気孔４をフレーム枠部１の巻取り軸２を設けていない辺に長手方向に複数形成し、前記通気孔４と連通する貫通孔５０を形成した閉塞体５をフレーム枠部１の通気孔４が形成された辺に沿って移動可能としたので、閉塞体５の少ない移動で通気孔４の開閉を行うことができる。
【００２５】
また、閉塞体５による通気孔４の開閉を、窓開口１０が開放されている時やスクリーン３で窓開口１０を閉塞した時点では通気孔４を開放する状態とし、スクリーン３の更なる閉方向への移動により通気孔４を閉塞するようにしてもよい。このようにすることで、通常は意識をしなくても通気孔４による換気が行われ、換気を全く行いたくないときにのみ意識してスクリーン３を更に移動させて通気孔４を閉塞することができる。
【００２６】
【発明の効果】
上記のように本発明の請求項１記載の発明にあっては、窓に配設されるフレーム枠部の対向する一対の辺にそれぞれ巻取り軸を設け、前記巻取り軸に巻装されたスクリーンでフレーム枠部の中央の窓開口を開閉するロールスクリーン装置において、フレーム枠部に室内外を連通する通気孔を形成するとともに、スクリーンで窓開口を閉塞した時に前記通気孔を閉塞して且つ、スクリーンの更なる閉方向への移動により通気孔を開放する閉塞体を設けたので、窓開口をスクリーンで閉塞して遮光した状態でも通気孔を介して換気及び密閉が自在となる。
【００２７】
また請求項２記載の発明にあっては、窓に配設されるフレーム枠部の対向する一対の辺にそれぞれ巻取り軸を設け、前記巻取り軸に巻装されたスクリーンでフレーム枠部の中央の窓開口を開閉するロールスクリーン装置において、フレーム枠部に室内外を連通する通気孔を形成するとともに、スクリーンで窓開口を閉塞した時に前記通気孔を開放して且つ、スクリーンの更なる閉方向への移動により通気孔を閉塞する閉塞体を設けたので、窓開口をスクリーンで閉塞して遮光した状態でも通気孔を介して換気及び密閉が自在となる。
【００２８】
また請求項３記載の発明にあっては、上記請求項１又は２記載の発明の効果に加えて、通気孔をフレーム枠部の巻取り軸を設けていない辺に形成し、前記フレーム枠部の通気孔が形成された辺に沿って移動可能な閉塞体に前記通気孔に連通する貫通孔を形成したので、閉塞体の少ない移動で通気孔の開閉を行うことができる。
【図面の簡単な説明】
【図１】本発明の一実施形態の動作を説明する要部正面図であり、（ａ）は通気孔の閉塞状態を示し、（ｂ）は通気孔の開放状態を示す。
【図２】（ａ）（ｂ）はそれぞれ同上の（ａ）（ｂ）における要部断面図である。
【図３】同上の実施形態のロールスクリーン装置の概略断面図である。
【図４】従来のロールスクリーン装置を示し、（ａ）は窓開口を開放した状態の斜視図であり、（ｂ）は閉塞した状態の斜視図である。
【符号の説明】
１  フレーム枠部
１０  窓開口
２  巻取り軸
３  スクリーン
４  通気孔
５  閉塞体
【図１】
2004176368.tif 000003
【図２】
2004176368.tif 000004
【図３】
2004176368.tif 000005
【図４】
2004176368.tif 000006